(57)【要約】【課題】ストレインリリーフにフェライトビーズと同等の機能を持たせて構成を簡素化した、特にコンデンサマイクロホンに好適な電気コードのコネクタ接続装置を提供する。【解決手段】レセプタクルシリンダ１１およびガイドスリーブ１２を有するコネクタ１０と、コネクタ１０に接続される電気コード２０とを含み、電気コード２０は内部導体，内部シース，シールド編組２３および外部シース２４を有し、内部導体および内部シースがガイドスリーブ１２からレセプタクルシリンダ１１内に引き込まれ、シールド編組２３がガイドスリーブ１２の周りに配置され、シールド編組２３の全体から外部シース２４の一部分にかけて円筒状のストレインリリーフ２５が被せられている電気コードのコネクタ接続装置において、ストレインリリーフ２５として、磁性粉を含む軟質プラスチックチューブ２５ａを用いる。【選択図】図１
2015022819.tif 000002
【特許請求の範囲】
【請求項１】
レセプタクルシリンダを有するコネクタと、上記コネクタに接続される電気コードとを含み、上記レセプタクルシリンダは一端壁側にコード挿通用のガイドスリーブを一体に備え、上記電気コードは内部導体，内部シース，シールド編組および外部シースを有し、上記内部導体および上記内部シースが上記ガイドスリーブから上記レセプタクルシリンダ内に引き込まれ、上記シールド編組が上記ガイドスリーブの周りに配置され、上記シールド編組の全体から上記外部シースの一部分にかけて円筒状のストレインリリーフが被せられている電気コードのコネクタ接続装置において、
上記ストレインリリーフとして、磁性粉を含む軟質プラスチックチューブが用いられていることを特徴とする電気コードのコネクタ接続装置。
【請求項２】
上記シールド編組は、上記ガイドスリーブに圧着ペンチにより圧着されており、上記シールド編組の一部分には、上記圧着ペンチの圧着に伴って上記ストレインリリーフに対する抜け止め用のリブが形成されていることを特徴とする請求項１に記載の電気コードのコネクタ接続装置。
【請求項３】
上記リブは、上記圧着ペンチの圧着により上記ガイドスリーブに形成された塑性変形よりなる凸状部分により支えられていることを特徴とする請求項２に記載の電気コードのコネクタ接続装置。
【請求項４】
電気コードのコネクタへの接続部分に被せられるストレインリリーフにおいて、磁性粉を含む軟質プラスチックチューブからなることを特徴とするストレインリリーフ。
【発明の詳細な説明】
【技術分野】
【０００１】
本発明は、電気コードのコネクタ接続装置に関し、さらに詳しく言えば、コンデンサマイクロホンに好適な電磁波遮蔽手段を備えた電気コードのコネクタ接続装置およびストレインリリーフに関するものである。
【背景技術】
【０００２】
電気コードのコネクタ接続部分には、通常、電気コードが鋭角的に曲げられることによる内部導体の断線を防止するためにストレインリリーフと呼ばれるコード保護手段が用いられている。図４（ａ）〜（ｄ）により、ストレインリリーフを取り付けるまでの電気コードのコネクタへの接続手順の一例について説明する。
【０００３】
図４（ａ）に示すように、この例において、コネクタ１０は、同軸ケーブル用のＢＮＣコネクタであって、レセプタクルシリンダ１１を備えている。レセプタクルシリンダ１１の一端壁側（図４（ａ）において右側）には、コード挿通用のガイドスリーブ１２が一体に設けられている。レセプタクルシリンダ１１およびガイドスリーブ１２はともに金属製である。
【０００４】
コネクタ１０に接続される電気コード２０は、単芯の内部導体２１，内部シース２２，シールド編組２３および外部シース２４を備える単芯シールド被覆線である。
【０００５】
図４（ａ）に示すように、内部シース２２および外部シース２４を切り取って、内部導体２１とシールド編組２３の各端部を露出させた後、図４（ｂ）に示すように、内部導体２１に端子ピン２１ａを図示しない圧着ペンチによるかしめによって固着する。
【０００６】
次に、内部導体２１および内部シース２２をガイドスリーブ１２に挿通して、端子ピン２１ａをレセプタクルシリンダ１１内に引き込む。このとき、図４（ｃ）に示すように、シールド編組２３をガイドスリーブ１２の周りに被せる。
【０００７】
そして、再度上記圧着ペンチを用いて、シールド編組２３をその外側からかしめてガイドスリーブ１２に圧着し、シールド編組２３をレセプタクルシリンダ１１に機械的、電気的に接続する。
【０００８】
その後、図４（ｄ）に示すように、シールド編組２３の全体および外部シース２４の一部分にかけて円筒状のストレインリリーフ２５を被せる。実際には、図４（ａ）の段階で、ストレインリリーフ２５をあらかじめ電気コード２０に挿通しておき、シールド編組２３をガイドスリーブ１２に圧着した後、ストレインリリーフ２５を引き戻してシールド編組２３に被せる。
【０００９】
ストレインリリーフ２５には、通常、ゴム材からなる単管チューブが用いられるが、シールド編組２３の部分から容易に脱落しないようにするため、例えば、ストレインリリーフ２５を熱収縮性チューブとしたり、特許文献１に記載されているように、ストレインリリーフ２５とレセプタクルシリンダ１１との間に、雄雌嵌合による係止部を設けるようにしている。
【００１０】
しかしながら、いずれの場合においても、特殊な素材もしくは加工を必要とし、コスト高になることから、好ましい手法とは言えない。
【００１１】
また、近年、携帯電話機が急速に普及しているが、携帯電話機からはかなり高いレベルの電磁波が放射される。上記電気コードが接続される機器がコンデンサマイクロホンである場合、マイクロホンの近傍で携帯電話機が使用されると、その電磁波による高周波電流が電気コードおよびコネクタ等を介してマイクロホンケース内に入り込み、同マイクロホンケース内に搭載されている半導体素子等により検波され、これが原因で雑音が発生することがある。
【００１２】
これを防止するため、様々な電磁シールド対策が講じられているが、静電シールドだけで不十分である場合には、電気コードにフェライトビーズを取り付けるようにしている。
【００１３】
フェライトビーズは、管状に成形された磁性粉よりなるが、かなり硬いことから、使用に際しては、熱収縮チューブもしくはアウト成形でプラスチックカバーを被せるようにしている。いずれにしても、電気コードに、ストレインリリーフとフェライトビーズとを装着することは、手間がかかるだけでなく、部品点数も増えるため好ましくない。
【先行技術文献】
【特許文献】
【００１４】
【特許文献１】登録実用新案第３０４５２７０号公報
【発明の概要】
【発明が解決しようとする課題】
【００１５】
したがって、本発明の課題は、ストレインリリーフにフェライトビーズと同等の機能を持たせて構成を簡素化した、特にコンデンサマイクロホンに好適な電気コードのコネクタ接続装置を提供することにある。
【課題を解決するための手段】
【００１６】
上記課題を解決するため、本発明は、レセプタクルシリンダを有するコネクタと、上記コネクタに接続される電気コードとを含み、上記レセプタクルシリンダは一端壁側にコード挿通用のガイドスリーブを一体に備え、上記電気コードは内部導体，内部シース，シールド編組および外部シースを有し、上記内部導体および上記内部シースが上記ガイドスリーブから上記レセプタクルシリンダ内に引き込まれ、上記シールド編組が上記ガイドスリーブの周りに配置され、上記シールド編組の全体から上記外部シースの一部分ににかけて円筒状のストレインリリーフが被せられている電気コードのコネクタ接続装置において、上記ストレインリリーフとして、磁性粉を含む軟質プラスチックチューブが用いられていることを特徴としている。
【００１７】
本発明の好ましい態様によると、上記シールド編組は、上記ガイドスリーブに圧着ペンチにより圧着されており、上記シールド編組の一部分には、上記圧着ペンチの圧着に伴って上記ストレインリリーフに対する抜け止め用のリブが形成されている。
【００１８】
上記リブは、上記圧着ペンチの圧着により上記ガイドスリーブに形成された塑性変形よりなる凸状部分により支えられていることが好ましい。
【００１９】
また、本発明には、電気コードのコネクタへの接続部分に被せられるストレインリリーフが含まれ、本発明のストレインリリーフは、磁性粉を含む軟質プラスチックチューブからなることを特徴としている。
【発明の効果】
【００２０】
本発明によれば、ストレインリリーフとして、磁性粉を含む軟質プラスチックチューブを用いたことにより、別途にフェライトビーズ等を用いることなく、電気コードのコネクタ接続部分で、高レベルの外来電磁波による高周波電流を阻止することができる。
【００２１】
また、圧着ペンチにてシールド編組をガイドスリーブにかしめる際に、シールド編組の外表面にストレインリリーフに対する抜け止め用のリブを形成することにより、ストレインリリーフを熱収縮性チューブとしたり、ストレインリリーフとレセプタクルシリンダとの間に雄雌嵌合による係止部等を設けることなく、ストレインリリーフの脱落を防止することができる。
【図面の簡単な説明】
【００２２】
【図１】本発明の第１実施形態で、（ａ）ストレインリリーフ取り付け前の状態を一部断面で示す模式図、（ｂ）ストレインリリーフ取り付け後の状態を一部断面で示す模式図。
【図２】本発明の第２実施形態で、（ａ）ストレインリリーフ取り付け前の状態を一部断面で示す模式図、（ｂ）ストレインリリーフ取り付け後の状態を一部断面で示す模式図。
【図３】（ａ）上記第１実施形態で用いられる圧着ペンチの要部を示す断面図，（ｂ）上記第２実施形態で用いられる圧着ペンチの要部を示す断面図。
【図４】（ａ）〜（ｄ）従来例として、ストレインリリーフを取り付けるまでの電気コードのコネクタへの接続手順の一例を示す模式図。
【発明を実施するための形態】
【００２３】
次に、図１ないし図３により、本発明の実施形態について説明するが、本発明はこれに限定されるものではない。なお、この実施形態の説明において、上記従来例と変更を要しない構成要素には同じ参照符号を用いている。
【００２４】
図１に示す第１実施形態、図２に示す第２実施形態のいずれにおいても、先の図４（ａ）で説明した従来例と同じく、コネクタ１０は、同軸ケーブル用のＢＮＣコネクタであって、レセプタクルシリンダ１１を備えている。レセプタクルシリンダ１１の一端壁側には、コード挿通用のガイドスリーブ１２が一体に設けられている。レセプタクルシリンダ１１およびガイドスリーブ１２はともに金属製である。
【００２５】
また、コネクタ１０に接続される電気コード２０は、単芯の内部導体２１，内部シース２２，シールド編組２３および外部シース２４を備える単芯シールド被覆線であり、この第１，第２実施形態においても、電気コード２０は、先の図４（ａ）〜（ｃ）に示す手順にしたがってコネクタ１０のレセプタクルシリンダ１１に接続されてよい。
【００２６】
すなわち、図４（ａ）に示すように、内部シース２２および外部シース２４を切り取って、内部導体２１とシールド編組２３の各端部を露出させた後、図４（ｂ）に示すように、内部導体２１に端子ピン２１ａを図示しない圧着ペンチによるかしめによって固着する。
【００２７】
次に、内部導体２１および内部シース２２をガイドスリーブ１２に挿通して、端子ピン２１ａをレセプタクルシリンダ１１内に引き込む。このとき、図４（ｃ）に示すように、シールド編組２３をガイドスリーブ１２の周りに被せる。
【００２８】
ここまでの接続手順は、上記従来例と同じであってよいが、本発明では、シールド編組２３をガイドスリーブ１２に圧着し、シールド編組２３をレセプタクルシリンダ１１に機械的、電気的に接続する際に、ストレインリリーフ２５の抜け止め用のリブ３０を形成する点と、ストレインリリーフ２５として、磁性粉を含む軟質プラスチックチューブからなるストレインリリーフ２５ａを用いる点で、上記従来例と異なっている。
【００２９】
すなわち、図１に示す第１実施形態では、シールド編組２３をレセプタクルシリンダ１１のガイドスリーブ１２に圧着する際、シールド編組２３の外表面の周りに、図１（ａ）に示すように、断面半円状の凸部３１からなる抜け止め用のリブ３０を環状に形成する。
【００３０】
このような断面半円状の凸部３１は、図３（ａ）に示すように、圧着ペンチ４０の上顎４１ａと下顎４１ｂの各圧着面に断面半円状の凹部４２，４２を設け、上顎４１ａと下顎４１ｂを強固に締め付けて、ガイドスリーブ１２の一部分が凹部４２，４２内に膨出するように、ガイドスリーブ１２を塑性変形させることにより形成することができる。
【００３１】
しかる後、図１（ｂ）に示すように、ストレインリリーフ２５ａをシールド編組２３の全体および外部シース２４の一部分を覆うように取り付ける。実際には、ストレインリリーフ２５ａを電気コード２４にあらかじめ挿通しておき、シールド編組２３を圧着ペンチ４０にてかしめた後、ストレインリリーフ２５ａをシールド編組２３側に引き戻す。
【００３２】
リブ３０の外径をストレインリリーフ２５ａの内径よりも大径とするか、もしくは、ストレインリリーフ２５ａの内径をリブ３０の外径よりも小径として、ストレインリリーフ２５ａをリブ３０を乗り越えるように強制的にシールド編組２３の外表面に嵌め込む。
【００３３】
これにより、電気コード２０を屈曲しても、ストレインリリーフ２５ａの脱落を防止することができるが、図２の第２実施形態では、ストレインリリーフ２５ａの脱落（抜け）をより確実に防止するため、抜け止め用のリブ３０を逆鉤状の係止部３２としている。この他の構成は、上記第１実施形態と同じであってよい。
【００３４】
逆鉤状の係止部３２とは、ストレインリリーフ２５ａをシールド編組２３に被せる方向（図２（ａ）では左方向）に沿って円錐状に広がる形状で、その円錐端の拡径された頂端がストレインリリーフ２５ａの内面に食い込み、ストレインリリーフ２５ａがシールド編組２３から外れるのを確実に阻止する。
【００３５】
このような逆鉤状の係止部３２は、図３（ｂ）に示すように、圧着ペンチ４０の上顎４１ａと下顎４１ｂの各圧着面に、垂直面と傾斜面とを含む断面レ字状の凹部４３，４３を設け、上顎４１ａと下顎４１ｂを強固に締め付けて、ガイドスリーブ１２の一部分が凹部４３，４３内に膨出するように、ガイドスリーブ１２を塑性変形させることにより形成することができる。この塑性変形された逆鉤状の係止部３２により、シールド編組２３の外表面の周りに逆鉤状の抜け止め用のリブ３０が表出する。
【００３６】
このように、上記第１，第２実施形態によれば、ストレインリリーフ２５を熱収縮性チューブとしたり、ストレインリリーフ２５とレセプタクルシリンダ１１との間に雄雌嵌合による係止部等を設けることなく、ストレインリリーフ２５の脱落を防止することができる。
【００３７】
また、ストレインリリーフ２５として、磁性粉を含む軟質プラスチックチューブからなるストレインリリーフ２５ａを用いたことにより、別途にフェライトビーズ等を用いることなく、高レベルの外来電磁波による高周波電流の流れをストレインリリーフ２５ａによって阻止することができる。
【００３８】
なお、ストレインリリーフ２５ａに用いられる磁性粉を充填した軟質プラスチックとしては、例えばタケチ（ＴＡＫＥＣＨＩ）社製のＥＶＡ（エチレン・酢酸ビニル重合体）と扁平状の軟質磁性体粒子により構成されたＥＶＤＴ系電波吸収体（品番ＥＶＤＴ−１００）がある。
【００３９】
本発明において、コネクタは同軸ケーブル用のＢＮＣコネクタに限定されるものではない。同様に、電気ケーブル２０も単芯シールド被覆線に限定されず、例えば２芯シールド被覆線であってもよい。
【００４０】
また、本発明は、高レベルの外来電磁波による高周波電流を阻止することができることから、コンデンサマイクロホンに好適であるが、これ以外の電気・電子部品の電気的接続にも適用可能であることは言うまでもない。
【符号の説明】
【００４１】
１０  コネクタ
１１  レセプタクルシリンダ
１２  ガイドスリーブ
２０  電気コード
２１  内部導体
２２  内部シース
２３  シールド編組
２４  外部シース
２５，２５ａ  ストレインリリーフ
３０  抜け止め用のリブ
３１  断面半円状の凸部
３２  逆鉤状の係止部
【図１】
2015022819.tif 000003
【図２】
2015022819.tif 000004
【図３】
2015022819.tif 000005
【図４】
2015022819.tif 000006